(57)【要約】【課題】遮音壁コーナー部のサウンドブリッジの影響をなくして遮音性能を高めることができ、しかも、面材を取り付けるのに充分な強度をもち、納まりも良く、設計や製作、施工を容易にできる、遮音壁コーナー柱の構造を提供する。【解決手段】例えばＬ字コーナーの遮音壁コーナー柱について、各辺が一方の室ｒ１に面する直交する面材７，７の取付け下地となる長物の第１下地アングル材２と、各辺がもう一方の室ｒ２に面する直交する面材７，７の取付け下地となる長物の第２下地アングル材３と、これら両下地アングル材２，３をそれらの位置関係を保持する態様で連結する位置関係保持兼用の振動絶縁材６とが備えられ、該振動絶縁材６はピース状のものからなって、上下方向に間隔をおいて複数備えられ、各振動絶縁材６が両下地アングル材２，３を連結している。【選択図】      図１
2007321433.tif 000002
【特許請求の範囲】
【請求項１】
Ｌ字コーナー用の遮音壁コーナー柱の構造であって、
各辺が一方の室に面する直交する面材の取付け下地となる上下方向に延びる長物からなる第１下地アングル材と、
各辺がもう一方の室に面する直交する面材の取付け下地となる上下方向に延びる長物からなる第２下地アングル材と、
これら両下地アングル材をそれらの位置関係を保持する態様で連結する位置関係保持兼用の振動絶縁材と
が備えられていることを特徴とする遮音壁コーナー柱の構造。
【請求項２】
前記振動絶縁材がピース状のものからなって、上下方向に間隔をおいて複数備えられ、各振動絶縁材が両下地アングル材を連結している請求項１に記載の遮音壁コーナー柱の構造。
【請求項３】
Ｌ字コーナー部内に構造柱が備えられ、前記振動絶縁材は、構造柱を回避する態様で備えられ、かつ、構造柱回避の設置状態を側方からのアクセスで形成することができるようになされている請求項１又は２に記載の遮音壁コーナー柱の構造。
【請求項４】
Ｌ字コーナー部内に構造柱が備えられ、前記振動絶縁材は該構造柱を含み、該構造柱は両下地アングル材の位置関係保持作用を行うようになされている請求項１に記載の遮音壁コーナー柱の構造。
【請求項５】
Ｔ字コーナー用の遮音壁コーナー柱の構造であって、
各辺が第１室に面する直交する面材の取付け下地となる上下方向に延びる長物からなる第１下地アングル材と、
各辺が第２室に面する直交する面材の取付け下地となる上下方向に延びる長物からなる第２下地アングル材と、
一方の辺が第３室に面する直線状に延びる面材の取付け下地となる上下方向に延びる長物からなる第３下地アングル材と、
少なくとも、第１下地アングル材と第３下地アングル材、及び、第２下地アングル材と第３下地アングル材とを、それらの位置関係を保持する態様で連結する位置関係保持兼用の振動絶縁材と
が備えられていることを特徴とする遮音壁コーナー柱の構造。
【請求項６】
前記第３下地アングル材が２本備えられ、
一方の第３下地アングル材と第１下地アングル材とが上下方向に間隔をおいた複数のピース状の振動絶縁材で連結されて第１単位コーナー柱を構成していると共に、
もう一方の第３下地アングル材と第２下地アングル材とが上下方向に間隔をおいた複数のピース状の振動絶縁材で連結されて第２単位コーナー柱を構成しており、
第２単位コーナー柱は、第１単位コーナー柱と同じもので、第１単位コーナー柱を倒立させたものからなっており、これら単位コーナー柱は、それらの振動絶縁材が上下方向において直上直下の交互配置となるように備えられている請求項５に記載の遮音壁コーナー柱の構造。
【請求項７】
前記各単位コーナー柱が、Ｌ字コーナー用の遮音壁コーナー柱としての使用が可能なものからなっている請求項６に記載の遮音壁コーナー柱の構造。
【請求項８】
Ｔ字コーナー部内に構造柱が備えられ、各単位コーナー柱の各ピース状振動絶縁材は、構造柱を回避する態様で備えられ、かつ、構造柱回避の設置状態を側方からのアクセスで形成することができるようになされている請求項６又は７に記載の遮音壁コーナー柱の構造。
【請求項９】
十字コーナー用の遮音壁コーナー柱の構造であって、
各辺が第１室に面する直交する面材の取付け下地となる上下方向に延びる長物からなる第１下地アングル材と、
各辺が第１室の対角側の第２室に面する直交する面材の取付け下地となる上下方向に延びる長物からなる第２下地アングル材と、
各辺が第３室に面する直交する面材の取付け下地となる上下方向に延びる長物からなる第３下地アングル材と、
各辺が第３室の対角側の第４室に面する直交する面材の取付け下地となる上下方向に延びる長物からなる第４下地アングル材と、
少なくとも、第１下地アングル材と第２下地アングル材、及び、第３下地アングル材と第４下地アングル材とを、それらの位置関係を保持する態様で連結する位置関係保持兼用の振動絶縁材と
が備えられていることを特徴とする遮音壁コーナー柱の構造。
【請求項１０】
第１下地アングル材と第２下地アングル材とが上下方向に間隔をおいた複数のピース状の振動絶縁材で連結されて第１単位コーナー柱を構成していると共に、
第３下地アングル材と第４下地アングル材とが上下方向の間隔をおいた複数のピース状の振動絶縁材で連結されて第２単位コーナー柱を構成しており、
第２単位コーナー柱は、第１単位コーナー柱と同じもので、第１単位コーナー柱を倒立させたものからなっており、これら単位コーナー柱は、それらの振動絶縁材が上下方向において直上直下の交互配置となるように備えられている請求項９に記載の遮音壁コーナー柱の構造。
【発明の詳細な説明】
【技術分野】
【０００１】
本発明は、遮音壁コーナー柱の構造に関する。
【背景技術】
【０００２】
例えば、居室間の間仕切り壁の直線部における遮音構造として、石膏ボード等の面材の取付けの下地となる間柱を水平断面において千鳥状配置にして表裏の面材を絶縁させるようにしたものは、従来より提供されている。
【特許文献１】特開２００５−１０５６３２号公報
【発明の開示】
【発明が解決しようとする課題】
【０００３】
ところで、間仕切り壁がＬ字コーナーやＴ字コーナー、十字コーナーを含んでいるような場合、これらのコーナー部において遮音対策が施されていないと、これらのコーナー部のサウンドブリッジの影響は、低周波数域では差程問題とはならないが、会話やテレビ等の日常生活騒音を範囲に含む中高周波数域では無視できないほどに大きなものになってしまうという問題を生じる。
【０００４】
それに対する対策法は、種々考えられるが、コーナー部であるがゆえに、その構造は納まりの悪い複雑な構造になってしまいやすく、設計や施工に手間を要するという問題がある。
【０００５】
本発明は、上記のような問題点に鑑み、遮音壁コーナー部のサウンドブリッジの影響をなくす、あるいは、少なくすることができて、遮音性能を高めることができ、しかも、面材を取り付けるのに充分な強度をもちながら、納まりが良く、設計や製作、施工を容易にすることができる、遮音壁コーナー柱の構造を提供することを課題とする。
【課題を解決するための手段】
【０００６】
上記の課題は、Ｌ字コーナー用の遮音壁コーナー柱の構造であって、
各辺が一方の室に面する直交する面材の取付け下地となる上下方向に延びる長物からなる第１下地アングル材と、
各辺がもう一方の室に面する直交する面材の取付け下地となる上下方向に延びる長物からなる第２下地アングル材と、
これら両下地アングル材をそれらの位置関係を保持する態様で連結する位置関係保持兼用の振動絶縁材と
が備えられていることを特徴とする遮音壁コーナー柱の構造によって解決される（第１発明）。
【０００７】
この構造では、コーナー部に面材取付けのために備えられる第１下地アングル材と第２下地アングル材とが振動絶縁材で絶縁されているので、コーナー部におけるサウンドブリッジの影響をなくす、あるいは、少なくすることができ、遮音壁の遮音性能を高めることができる。
【０００８】
しかも、各下地材はアングル材からなっているので、コーナー部において直交する面材のそれぞれを取り付けることができると共に、面材の取付け状態を適正なものに維持するに充分な強度を確保することができ、それでいて、下地材をスペース的に有利に設置することができて、他との取り合い関係において納まりを悪くしてしまうこともなく、設計や製作、施工を容易にすることができる。
【０００９】
加えて、振動絶縁材は、第１、第２の下地アングル材の位置関係を保持する機能をも備えているので、ビス等による各下地アングル材への面材の取付けの施工を容易にすることができると共に、取付け状態も安定で良好なものにすることができる。
【００１０】
第１発明において、振動絶縁材がピース状のものからなって、上下方向に間隔をおいて複数備えられ、各振動絶縁材が両下地アングル材を連結しているのもよい（第２発明）。この場合は、コーナー部におけるサウンドブリッジの影響を効果的になくす、あるいは、少なくすることができると共に、振動絶縁材の部品として小型化を図ることができ、振動絶縁材に要する材料コストを低く抑えることができる。
【００１１】
第１，２発明において、Ｌ字コーナー部内に構造柱が備えられ、前記振動絶縁材は、構造柱を回避する態様で備えられ、かつ、構造柱回避の設置状態を側方からのアクセスで形成することができるようになされているのもよい（第３発明）。
【００１２】
この場合は、下地材がアングル材からなること、及び、振動絶縁材が構造柱を回避する形態で備えられていることとの組み合わせで、下地材と振動絶縁材とを構造柱に妨げられることなくスペース的にうまい具合に設置することができて良好な納まり状態を形成することができる。
【００１３】
のみならず、振動絶縁材が構造柱回避の設置状態を側方からのアクセスで形成することができるようになされているので、現場での施工を容易にすることができる。
【００１４】
特に、第１，第２の下地アングル材と振動絶縁材とを予め連結して組み合わせたコーナー柱を用い、側方からのアクセスで、該コーナー柱を構造柱に妨げられることなく設置することも可能になり、その場合は、現場での施工をより一層容易なものにすることができる。
【００１５】
更に、第２発明との組み合わせでは、振動絶縁材は、ピース状をしていて部品として小型化されているので、振動絶縁材に要する材料コストを、構造柱回避形態を採るものでありながら、低く抑えることができる。
【００１６】
第１発明において、Ｌ字コーナー部内に構造柱が備えられ、前記振動絶縁材は該構造柱を含み、該構造柱は両下地アングル材の位置関係保持作用を行うようになされているのもよい（第４発明）。
【００１７】
この場合は、振動絶縁材の有する位置関係保持作用を構造柱によってしっかりとしたものにすることができ、しかも、それを、そもそもコーナー部内に備えられる構造柱を利用して実現するものであるから、位置関係保持作用をコスト的に有利に確保することができ、加えて、各下地材がアングル材からなることとの組み合わせで、構造柱がコーナー部内のスペース上の妨げとなるのを防いでコーナー部内部の構造柱を下地材の位置関係保持に積極活用することができて、納まりを良くすることができる。
【００１８】
また、上記の課題は、Ｔ字コーナー用の遮音壁コーナー柱の構造であって、
各辺が第１室に面する直交する面材の取付け下地となる上下方向に延びる長物からなる第１下地アングル材と、
各辺が第２室に面する直交する面材の取付け下地となる上下方向に延びる長物からなる第２下地アングル材と、
一方の辺が第３室に面する直線状に延びる面材の取付け下地となる上下方向に延びる長物からなる第３下地アングル材と、
少なくとも、第１下地アングル材と第３下地アングル材、及び、第２下地アングル材と第３下地アングル材とを、それらの位置関係を保持する態様で連結する位置関係保持兼用の振動絶縁材と
が備えられていることを特徴とする遮音壁コーナー柱の構造によって解決される（第５発明）。
【００１９】
この構造では、コーナー部に面材取付けのために備えられる第１下地アングル材と第３下地アングル材、及び、第２下地アングル材と第３下地アングル材とがそれぞれ振動絶縁材で絶縁されているので、コーナー部におけるサウンドブリッジの影響をなくす、あるいは、少なくすることができ、遮音壁の遮音性能を高めることができる。
【００２０】
しかも、各下地材はアングル材からなっているので、コーナー部において直交する面材のそれぞれを取り付けることができると共に、直線状に延びる面材も取り付けることができ、また、これら面材の取付け状態を適正なものに維持するに充分な強度を確保することもでき、それでいて、下地材をスペース的に有利に設置することができて、他との取り合い関係において納まりを悪くしてしまうこともなく、設計や製作、施工を容易にすることができる。
【００２１】
加えて、振動絶縁材は、第１下地アングル材と第３下地アングル材、及び、第２下地アングル材と第３下地アングル材の位置関係を保持する機能を備えているので、ビス等による各下地アングル材への面材の取付けの施工を容易にすることができると共に、取付け状態も安定で良好なものにすることができる。
【００２２】
第５発明において、前記第３下地アングル材が２本備えられ、
一方の第３下地アングル材と第１下地アングル材とが上下方向に間隔をおいた複数のピース状の振動絶縁材で連結されて第１単位コーナー柱を構成していると共に、
もう一方の第３下地アングル材と第２下地アングル材とが上下方向に間隔をおいた複数のピース状の振動絶縁材で連結されて第２単位コーナー柱を構成しており、
第２単位コーナー柱は、第１単位コーナー柱と同じもので、第１単位コーナー柱を倒立させたものからなっており、これら単位コーナー柱は、それらの振動絶縁材が上下方向において直上直下の交互配置となるように備えられているのもよい（第６発明）。
【００２３】
この場合は、コーナー柱を構成する第１，第２の単位コーナー柱が互いに同じものからなっていることにより、単位コーナー柱の量産を通じて、コストを削減することができる。
【００２４】
しかも、第２単位コーナー柱は第１単位コーナー柱を倒立させたものからなっており、第１及び第２単位コーナー柱は、それらのピース状振動絶縁材が上下方向において直上直下の交互配置となるように備えられているので、これら単位コーナー柱を平面方向においてコンパクトに組み込むことができて、限られた平面スペースのなかで無理のない取り合い関係を形成することができる。
【００２５】
また、振動絶縁材はピース状のものからなって、上下方向に間隔をおいて複数備えられ、下地アングル材を連結しているので、コーナー部におけるサウンドブリッジの影響を効果的になくす、あるいは、少なくすることができると共に、振動絶縁材の部品として小型化を図ることができ、振動絶縁材に要する材料コストを低く抑えることができる。
【００２６】
第６発明において、各単位コーナー柱が、Ｌ字コーナー用の遮音壁コーナー柱としての使用が可能なものからなっているのもよい（第７発明）。この場合は、Ｔ字コーナー用の第１，第２の単位コーナー柱と、Ｌ字コーナー用のコーナー柱との部品共通化を通じて、量産によるコスト削減を実現することができる。
【００２７】
第６，第７発明において、Ｔ字コーナー部内に構造柱が備えられ、各単位コーナー柱の各ピース状振動絶縁材は、構造柱を回避する態様で備えられ、かつ、構造柱回避の設置状態を側方からのアクセスで形成することができるようになされているのもよい（第８発明）。
【００２８】
この場合は、下地材がアングル材からなること、及び、振動絶縁材が構造柱を回避する形態で備えられていることとの組み合わせで、下地材と振動絶縁材とを構造柱に妨げられることなくスペース的にうまい具合に設置することができて良好な納まり状態を形成することができる。
【００２９】
のみならず、振動絶縁材が構造柱回避の設置状態を側方からのアクセスで形成することができるようになされているので、現場での施工を容易にすることができる。
【００３０】
更に、振動絶縁材は、ピース状をしていて部品として小型化されているので、振動絶縁材に要する材料コストを、構造柱回避形態を採るものでありながら、低く抑えることができる。
【００３１】
また、上記の課題は、十字コーナー用の遮音壁コーナー柱の構造であって、
各辺が第１室に面する直交する面材の取付け下地となる上下方向に延びる長物からなる第１下地アングル材と、
各辺が第１室の対角側の第２室に面する直交する面材の取付け下地となる上下方向に延びる長物からなる第２下地アングル材と、
各辺が第３室に面する直交する面材の取付け下地となる上下方向に延びる長物からなる第３下地アングル材と、
各辺が第３室の対角側の第４室に面する直交する面材の取付け下地となる上下方向に延びる長物からなる第４下地アングル材と、
少なくとも、第１下地アングル材と第２下地アングル材、及び、第３下地アングル材と第４下地アングル材とを、それらの位置関係を保持する態様で連結する位置関係保持兼用の振動絶縁材と
が備えられていることを特徴とする遮音壁コーナー柱の構造によって解決される（第９発明）。
【００３２】
この構造では、コーナー部に面材取付けのために備えられる第１下地アングル材と第２下地アングル材、及び、第３下地アングル材と第４下地アングル材とがそれぞれ振動絶縁材で絶縁されているので、コーナー部におけるサウンドブリッジの影響をなくす、あるいは、少なくすることができ、遮音壁の遮音性能を高めることができる。
【００３３】
しかも、各下地材はアングル材からなっているので、コーナー部において直交する面材のそれぞれを取り付けることができ、また、これら面材の取付け状態を適正なものに維持するに充分な強度を確保することもでき、それでいて、下地材をスペース的に有利に設置することができて、他との取り合い関係において納まりを悪くしてしまうこともなく、設計や製作、施工を容易にすることができる。
【００３４】
加えて、振動絶縁材は、第１下地アングル材と第２下地アングル材、及び、第３下地アングル材と第４下地アングル材の位置関係を保持する機能を備えているので、ビス等による各下地アングル材への面材の取付けの施工を容易にすることができると共に、取付け状態も安定で良好なものにすることができる。
【００３５】
第９発明において、第１下地アングル材と第２下地アングル材とが上下方向に間隔をおいた複数のピース状の振動絶縁材で連結されて第１単位コーナー柱を構成していると共に、
第３下地アングル材と第４下地アングル材とが上下方向の間隔をおいた複数のピース状の振動絶縁材で連結されて第２単位コーナー柱を構成しており、
第２単位コーナー柱は、第１単位コーナー柱と同じもので、第１単位コーナー柱を倒立させたものからなっており、これら単位コーナー柱は、それらの振動絶縁材が上下方向において直上直下の交互配置となるように備えられているのもよい（第１０発明）。
【００３６】
この場合は、コーナー柱を構成する第１，第２の単位コーナー柱が互いに同じものからなっていることにより、単位コーナー柱の量産を通じて、コストを削減することができる。
【００３７】
しかも、第２単位コーナー柱は第１単位コーナー柱を倒立させたものからなっており、第１及び第２単位コーナー柱は、それらのピース状振動絶縁材が上下方向において直上直下の交互配置となるように備えられているので、これら単位コーナー柱を平面方向においてコンパクトに組み込むことができて、限られた平面スペースのなかで無理のない取り合い関係を形成することができる。
【００３８】
また、振動絶縁材はピース状のものからなって、上下方向に間隔をおいて複数備えられ、下地アングル材を連結しているので、コーナー部におけるサウンドブリッジの影響を効果的になくす、あるいは、少なくすることができると共に、振動絶縁材の部品として小型化を図ることができ、振動絶縁材に要する材料コストを低く抑えることができる。
【発明の効果】
【００３９】
本発明の遮音壁コーナー柱の構造は、以上のとおりのものであるから、遮音壁コーナー部のサウンドブリッジの影響をなくす、あるいは、少なくすることができて、遮音性能を高めることができ、しかも、面材を取り付けるのに充分な強度をもちながら、納まりが良く、設計や製作、施工を容易にすることができる。
【発明を実施するための最良の形態】
【００４０】
次に、本発明の実施最良形態を図面に基づいて説明する。
【００４１】
図１及び図２に示す第１実施形態の遮音壁コーナー柱１は、遮音間仕切り壁のＬ字コーナー部に用いられるもので、２，３は金属などからなる第１，第２の下地アングル材、６は振動絶縁材である。
【００４２】
第１下地アングル材２は、各辺が、一方の室ｒ１に面する直交する面材７，７の取付け下地となる上下方向に延びて床天井間にわたされる長物からなり、また、第２下地アングル材３は、各辺が、もう一方の室ｒ２に面する直交する面材７，７の取付け下地となる上下方向に延びて床天井間にわたされる長物からなっていて、本実施形態では、第１下地アングル材２は出隅部側、第２下地アングル材３は入隅部側に備えられている。
【００４３】
振動絶縁材６は、ピース状のものからなって、上下方向に間隔をおいて複数、具体的には例えば、天井側と床側とそれらの間の中間の少なくとも３つ備えられ、各振動絶縁材６…が両下地アングル材２，３を連結している。本実施形態では、各振動絶縁材６は、ベース片８、及び、該ベース片８に接着剤等により取り付けられて該ベース片８と各下地アングル材２，３の各辺との間に介設されるゴム状弾性材９…とからなっていて、それらの組み合わせにより、第１下地アングル材２側から第２下地アングル材３側への振動の伝達、及び、第２下地アングル材３側から第１下地アングル材２側への振動の伝達が阻止ないしは抑制されるようになされていると共に、第１，第２の下地アングル材２，３相互の位置関係を保持する働きもするようになされている。
【００４４】
なお、ベース片８として、例えば非ループ状の金属板曲成品を用い、そのバネ弾力性を利用して、ゴム状弾性材９…との協働により、振動絶縁作用が行われるように構成されていてもよいし、また、主としてベース片８に位置関係保持を行わせ、主としてゴム状弾性材９に振動絶縁作用を行わせるように構成されていてもよい。
【００４５】
施工は、例えば、予め工場などで、振動絶縁材６…のゴム状弾性材９と第１，第２の下地アングル材２，３の各辺とを接着剤などで接合してコーナー柱１に組み立てておき、現場では、このコーナー柱１を天井床間にわたして設置し、出隅部側と入隅部側の両方から石膏ボード等の面材７…を沿わせ、例えばビス１０…を各下地アングル材２，３の辺部に打ち込んでいくなどというようにして行えばよい。振動絶縁材６がピース状のものからなっていて、上下方向に間隔をおいて備えられる構造になっていることにより、振動絶縁材６がビス１０…を打ち込む妨げになるのを防ぐことができる。
【００４６】
なお、遮音間仕切り壁の一般部は、間柱を千鳥配置にして表裏の面材を絶縁させたものであってもよいし、その他の遮音構造を採用したものであってもよい。
【００４７】
このように、上記のＬ字コーナー用の遮音壁コーナー柱１では、コーナー部に面材取付けのために備えられる第１下地アングル材２と第２下地アングル材３とが振動絶縁材６…で絶縁されているので、コーナー部におけるサウンドブリッジの影響をなくす、あるいは、少なくすることができ、Ｌ字コーナー部を有する遮音間仕切り壁の遮音性能を高いものにすることができる。
【００４８】
しかも、各下地材２，３はアングル材からなっているので、Ｌ字コーナー部において直交する面材７，７のそれぞれを下地材に取り付けることができると共に、該下地材２，３によって面材７…の取付け状態を適正なものに維持するに充分な強度を確保することもでき、それでいて、下地材２，３をスペース的に有利に設置することができて、他との取り合い関係において納まりを悪くしてしまうこともなく、設計や製作、施工を容易にすることができる。
【００４９】
加えて、振動絶縁材６…は、第１、第２の下地アングル材２，３の位置関係を保持する機能を備えているので、ビス１０…による各下地アングル材２，３への面材７…の取付けの施工を行う場合には、それを容易にすることができると共に、取付け状態も安定で良好なものにすることができる。
【００５０】
更に、振動絶縁材６はピース状のものからなって、上下方向に間隔をおいて複数備えられ、各振動絶縁材６…が両下地アングル材２，３を連結しているので、Ｌ字コーナー部におけるサウンドブリッジの影響を効果的になくす、あるいは、少なくすることができると共に、振動絶縁材６の部品として小型化を図ることができ、振動絶縁材６に要する材料コストを低く抑えることができる。
【００５１】
図３（イ）に示す第２実施形態の遮音壁コーナー柱１は、同じく遮音間仕切り壁のＬ字コーナー部に用いられるもので、振動絶縁材６のベース片８が、対称な対の部品をボルト１１などで接合した構造のものからなっていて、ベース片８を、その位置関係保持作用を損なわせることなくコスト的に有利に製作することができるようになされている。その他は第１実施形態と同様であり、同様の作用効果が奏される。
【００５２】
図３（ロ）に示す第３実施形態の遮音壁コーナー柱１も、同じく遮音間仕切り壁のＬ字コーナー部に用いられるものであるが、Ｌ字コーナー部内に角形鋼管柱などからなる構造柱１２が備えられており、振動絶縁材６は、該構造柱１２を含み、該構造柱１２と、出隅部側の第１下地アングル材２の各辺との間に介設されてそれらに接着剤等により取り付けられたゴム状弾性材９，９と、入隅部側の第２下地アングル材３の各辺に一方の辺が接着剤等により取り付けられたピース状の対のアングル材１３，１３と、該アングル材１３，１３のもう一方の辺と構造柱１２との間に介設されてそれらに接着剤等により取り付けられたゴム状弾性材９，９とで構成されているかたちとなっていて、構造柱１２が両下地アングル材２，３の位置関係保持作用を行うようになされている。なお、ゴム状弾性材９とピースアングル材１３は上下方向に間隔をおくようにして複数備えられている。
【００５３】
この構造では、振動絶縁材６の有する位置関係保持作用を構造柱１２によってしっかりとしたものにすることができ、しかも、それを、そもそもＬ字コーナー部内に備えられる構造柱１２を利用して実現するものであるから、位置関係保持作用をコスト的に有利に確保することができ、加えて、各下地材２，３がアングル材からなることとの組み合わせで、構造柱１２がコーナー部内のスペース上の妨げとなるのを防いでコーナー部内部の構造柱１２を下地材２，３の位置関係保持に積極活用することができて、納まりを良くすることができる。
【００５４】
図４に示す第４実施形態の遮音壁コーナー柱１は、同じく遮音間仕切り壁のＬ字コーナー部に用いられるものであり、Ｌ字コーナー部内には構造柱１２が備えられ、振動絶縁材６は、構造柱１２を含まず、ピース状のものからなっていて、ベース片８が、構造柱１２を回り込んで回避する態様で備えられると共に、構造柱１２回避の設置状態を側方からのアクセスで形成することができるように、側方に開かれた部分８ａを備えている。
【００５５】
この構造によれば、下地材２，３がアングル材からなること、及び、振動絶縁材６…が構造柱１２を回避する形態で備えられていることとの組み合わせで、下地材２，３と振動絶縁材６…とを構造柱１２に妨げられることなくスペース的にうまい具合に設置することができて良好な納まり状態を形成することができる。
【００５６】
しかも、振動絶縁材６…が構造柱回避の設置状態を側方からのアクセスで形成することができるようになされているので、現場での施工を容易にすることができる。特に、第１，第２の下地アングル材２，３と振動絶縁材６…とを予め連結して組み合わせたコーナー柱１を用い、側方からのアクセスで、該コーナー柱１を構造柱１２に妨げられることなく設置することも可能であり、そのような施工方法を採用することで、現場での施工を容易なものにすることができる。
【００５７】
更に、振動絶縁材６…は、ピース状をしていて部品として小型化されているので、振動絶縁材６…に要する材料コストを、構造柱回避形態を採るものでありながら、低く抑えることができる。
【００５８】
図５〜図７に示す第５実施形態の遮音壁コーナー柱１は、遮音間仕切り壁のＴ字コーナー部に用いられるものであり、各辺が第１室ｒ１に面する直交する面材７，７の取付け下地となる長物の第１下地アングル材２と、各辺が第２室ｒ２に面する直交する面材の取付け下地となる長物の第２下地アングル材３と、一方の辺が第３室ｒ３に面する直線状に延びる面材の取付け下地となる長物からなる２本の第３下地アングル材４，４とが備えられ、第１下地アングル材２と一方の第３下地アングル材４、及び、第２下地アングル材３ともう一方の第３下地アングル材４とがそれぞれ、上下方向に間隔をおいて配された位置関係保持兼用の複数のピース状振動絶縁材６…で連結されている。
【００５９】
そして、上記のように２本備えられた第３下地アングル材４，４のうちの一方の第３下地アングル材４と第１下地アングル材２とが上下方向に間隔をおいた複数のピース状振動絶縁材６…で連結されて第１単位コーナー柱１４を構成していると共に、もう一方の第３下地アングル材４と第２下地アングル材３とが上下方向に間隔をおいた複数のピース状の振動絶縁材６…で連結されて第２単位コーナー柱１５を構成しており、第２単位コーナー柱１５は、第１単位コーナー柱１４と同じもので、第１単位コーナー柱１４を倒立させたものからなって、これら単位コーナー柱１４，１５を同じ高さレベルにして組み合せたとき、それらのピース状振動絶縁材６…，６…が、同じ高さ位置になることがなく、上下方向において直上直下の交互配置となるように備えられるようになされている。
【００６０】
また、各振動絶縁材６…は、Ｔ字コーナー部内に構造柱１２が備えられる場合であってもそれに対応することができるように、構造柱１２を回避する態様で備えられると共に、構造柱１２回避の設置状態を側方からのアクセスで形成することができるように、側方に開かれた部分８ａを備えている。
【００６１】
更に、各単位コーナー柱１４，１５は、図４に示すように、Ｌ字コーナー用の遮音壁コーナー柱１と同じものからなっていて、Ｌ字コーナー用の遮音壁コーナー柱１としての使用が可能に構成されている。
【００６２】
施工は、例えば、下地アングル材同士が振動絶縁材で予め連結された第１、第２のいずれか一方の完成状態の単位コーナー柱を現場に設置したのち、一方の下地アングル材と振動絶縁材とが接合され、もう一方の下地アングル材が分離した未完成状態のもう一方の単位コーナー柱を用い、該未完成単位コーナー柱を、設置済みの単位コーナー柱に対し、各単位コーナー柱１４，１５の振動絶縁材６…，６…が上下方向において直上直下の交互配置となるように設置して下地アングル材と振動絶縁材とを接合するというようにして行うことができ、そのようにすることで施工を容易にすることができる。
【００６３】
上記の構造では、Ｔ字コーナー部におけるサウンドブリッジの影響をなくす、あるいは、少なくして、遮音壁の遮音性能を高めることができる等の効果が発揮されるのはもちろん、コーナー柱を構成する第１，第２の単位コーナー柱１４，１５が互いに同じものからなっていることにより、単位コーナー柱の量産を通じて、コストを削減することができる。
【００６４】
しかも、第２単位コーナー柱１５は、第１単位コーナー柱１４を倒立させたものからなっており、第１及び第２単位のコーナー柱１４，１５は、それらのピース状振動絶縁材６…，６…が上下方向において直上直下の交互配置となるように備えられているので、これら単位コーナー柱１４，１５を平面方向においてコンパクトに組み込むことができて、限られた平面スペースのなかで無理のない取り合い関係を形成することができる。
【００６５】
また、本実施形態では、各単位コーナー柱１４，１５が、Ｌ字コーナー用の遮音壁コーナー柱としての使用が可能なものからなっているので、Ｔ字コーナー用の第１，第２の単位コーナー柱１４，１５と、Ｌ字コーナー用のコーナー柱１との部品共通化を通じて、量産によるコスト削減を実現することができる。
【００６６】
図８〜図１０に示す第６実施形態の遮音壁コーナー柱は、遮音間仕切り壁の十字コーナー部に用いられるものであり、各辺が第１室ｒ１に面する直交する面材７，７の取付け下地となる長物の第１下地アングル材２と、各辺が第１室ｒ１の対角側の第２室ｒ２に面する直交する面材７，７の取付け下地となる長物の第２下地アングル材３と、各辺が第３室ｒ３に面する直交する面材７，７の取付け下地となる長物の第３下地アングル材４と、各辺が第３室ｒ３の対角側の第４室ｒ４に面する直交する面材の取付け下地となる長物の第４下地アングル材５とが備えられ、第１下地アングル材２と第２下地アングル材３、及び、第３下地アングル材４と第４下地アングル材５とがそれぞれ、上下方向に間隔をおいた複数のピース状の位置関係保持兼用の振動絶縁材６…，６…で連結されている。
【００６７】
そして、第１下地アングル材２と第２下地アングル材３とが上下方向に間隔をおいた複数のピース状振動絶縁材６で連結されて第１単位コーナー柱１４を構成していると共に、第３下地アングル材４と第４下地アングル材５とが同じく上下方向の間隔をおいた複数のピース状振動絶縁材６…で連結されて第２単位コーナー柱１５を構成し、かつ、第２単位コーナー柱１５は、第１単位コーナー柱１４と同じもので、第１単位コーナー柱１４を倒立させたものからなっており、これら単位コーナー柱１４，１５は、それらの振動絶縁材６…，６…が上下方向において直上直下の交互配置となるように備えられている。なお、本実施形態は、十字コーナー部に構造柱が備えられていない場合のものである。
【００６８】
上記の構造においても、十字コーナー部におけるサウンドブリッジの影響をなくす、あるいは、少なくして、遮音壁の遮音性能を高めることができる等の効果が発揮されるのはもちろん、コーナー柱を構成する第１，第２の単位コーナー柱１４，１５が互いに同じものからなっていることにより、単位コーナー柱の量産を通じて、コストを削減することができる。
【００６９】
しかも、第２単位コーナー柱１５は、第１単位コーナー柱１４を倒立させたものからなっており、第１及び第２単位コーナー柱１４，１５は、それらのピース状振動絶縁材６…，６…が上下方向において直上直下の交互配置となるように備えられているので、これら単位コーナー柱１４，１５を平面方向においてコンパクトに組み込むことができて、限られた平面スペースのなかで無理のない取り合い関係を形成することができる。
【００７０】
以上に、本発明の実施形態を示したが、本発明はこれに限られるものではなく、発明思想を逸脱しない範囲で各種の変更が可能である。例えば、第１、第５、第９発明等では、振動絶縁材はピース状のものであってもよいし、長物からなっていてもよい。また、第５発明では、第３下地アングル材が一本であってもよい。また、位置関係保持兼用振動絶縁材の形態や構造、材質等に制限はなく、各種の形態、構造、材質のものが用いられてよい。
【図面の簡単な説明】
【００７１】
【図１】第１実施形態の遮音壁コーナー柱を示すもので、図（イ）は断面平面図、図（ロ）は分解斜視図である。
【図２】同コーナー柱の全体を示すもので、図（イ）は分解斜視図、図（ロ）は斜視図である。
【図３】図（イ）は第２実施形態の遮音壁コーナー柱を示す断面平面図、図（ロ）は第３実施形態の遮音壁コーナー柱を示す断面平面図である。
【図４】第４実施形態の遮音壁コーナー柱を示すもので、図（イ）は断面平面図、図（ロ）は全体斜視図、図（ハ）は振動絶縁材の斜視図である。
【図５】第５実施形態の遮音壁コーナー柱を示すもので、図（イ）は断面平面図、図（ロ）は斜視図である。
【図６】同コーナー柱の全体斜視図である。
【図７】図（イ）及び図（ロ）は同コーナー柱を構成するの第１，第２の単位コーナー柱を示す全体斜視図である。
【図８】第６実施形態遮音壁コーナー柱を示すもので、図（イ）は断面平面図、図（ロ）は斜視図である。
【図９】同コーナー柱の全体斜視図である。
【図１０】図（イ）及び図（ロ）は同コーナー柱を構成するの第１，第２の単位コーナー柱を示す全体斜視図である。
【符号の説明】
【００７２】
１…遮音壁コーナー柱
２…第１下地アングル材
３…第２下地アングル材
４…第３下地アングル材
５…第４下地アングル材
６…位置関係保持兼用の振動絶縁材
７…面材
１２…構造柱
１４…第１単位コーナー柱
１５…第２単位コーナー柱
【図１】
2007321433.tif 000003
【図２】
2007321433.tif 000004
【図３】
2007321433.tif 000005
【図４】
2007321433.tif 000006
【図５】
2007321433.tif 000007
【図６】
2007321433.tif 000008
【図７】
2007321433.tif 000009
【図８】
2007321433.tif 000010
【図９】
2007321433.tif 000011
【図１０】
2007321433.tif 000012